(57)【要約】【課題】  室外用にも適用でき、また長さ調節だけでなく、幅調節も可能にして、足が成長しても着用感を損なうことなく、着用し続けられる靴を提供する。【解決手段】  靴底１１内にサイズ調節部材１３を収容する。このサイズ調節部材１３が、固定板１３Ａと、長さ調節板１３Ｂと、一対の幅調節板１３Ｃとからなり、固定板１３Ａを靴の踵に固定し、この固定板１３Ａに長さ調節板１３Ｂを長手方向に摺動自在に連結する。さらに、長さ調節板幅調節板１３Ｂに幅調節板１３Ｃを靴の幅方向に互いに接離自在となるよう連結する。  また、長さ調節板幅調節板１３Ｂ及び幅調節板１３Ｃを靴の外より移動可能にすると共に、靴底１１と甲革１２に幅及び長さが変更できるよう弾性部１１Ａ，１１Ｂ，１２Ａ，１２Ｂを設ける。【選択図】図２
2006026382.tif 000002
【特許請求の範囲】
【請求項１】
靴の長手方向の中央部に幅方向に横切って形成した伸縮自在な底長調節弾性部と、この底長調節弾性部から靴の前端部までのつま先部に形成した伸縮自在な底幅調節弾性部とを備えた靴底と、
前記底長調節弾性部の長手方向両端部に連結する左右両下端部から開口部までの甲中央横断部に形成した伸縮自在な甲革長さ調節弾性部と、つま先部から甲革の開口部の前端までの甲中央縦断部に形成した伸縮自在な甲革幅調節弾性部とを備えた甲革と、
固定板と、長さ調節板と、一対の幅調節板と、くさび板とからなり、これらが前記靴底内に収容されたサイズ調節部材と、
後端部が前記靴底の後背面より露出し、前端部が外周面に螺子部を形成した管状の長さ調節ボルトと、後端部が前記靴底の後背面より露出し、前端部が外周面に螺子を形成すると共に、前記長さ調節ボルトの通孔に挿入した幅調節ボルトとからなるサイズ調節ボルトとからなり、
そして前記固定板が靴底の内部の踵部に固定するものであり、
前記長さ調節板に長さ調節ボルトの螺子部を螺合すると共に、長さ調節板の後端部を前記固定板の前端部に連結して長手方向に摺動自在にして、長さ調節ボルトの回転により長さ調節板の位置を調節し、
前記一対の幅調節板を長さ調節板の前端部に靴の幅方向に互いに接離自在となるよう連結すると共に、当該幅調節板でくさび板を挟み、このくさび板に幅調節ボルトの螺子部を螺合して、幅調節ボルトの回転によりくさび板を移動させて幅調節板の位置を調節することを特徴とするサイズ調節可能な靴。
【請求項２】
前記一対の幅調節板の対向面に、引っ張りスプリングの両端部をそれぞれ結合することを特徴とする請求項１に記載のサイズ調節可能な靴。
【請求項３】
前記長さ調節板の上面に靴の長手方向に沿って長溝を設け、前記くさび板の底面に突起を設け、この突起を前記長溝に挿入して、くさび板を摺動自在にすることを特徴とする請求項１に記載のサイズ調節可能な靴。
【請求項４】
前記甲革長調節弾性部、甲革幅調節弾性部、底長調節弾性部、底幅調節弾性部を蛇腹状にすることを特徴とする請求項１に記載のサイズ調節可能な靴。
【請求項５】
長さ及び幅方向に伸縮自在の靴であって、
固定板と、長さ調節板と、一対の幅調節板と、くさび板とからなるサイズ調節部材と、
後端部が前記靴底の後背面より露出し、前端部が外周面に螺子部を形成した管状の長さ調節ボルトと、後端部が前記靴底の後背面より露出し、前端部が外周面に螺子を形成すると共に、前記長さ調節ボルトの通孔に挿入した幅調節ボルトとからなるサイズ調節ボルトとからなり、
前記固定板が靴の内側の踵部に固定するものであり、
前記長さ調節板に長さ調節ボルトの螺子部を螺合すると共に、長さ調節板の後端部を前記固定板の前端部に連結して長手方向に摺動自在にして、長さ調節ボルトの回転により長さ調節板の位置を調節し、
前記一対の幅調節板を長さ調節板の前端部に靴の幅方向に互いに接離自在となるよう連結すると共に、当該幅調節板でくさび板を挟み、このくさび板に幅調節ボルトの螺子部を螺合して、幅調節ボルトの回転によりくさび板を移動させて幅調節板の位置を調節することを特徴とするサイズ調節可能な靴。
【発明の詳細な説明】
【技術分野】
【０００１】
本発明は、長さ及び幅（両方を合わせ以下「サイズ」という）をそれぞれ独立して調節できるようにした靴に関する。
【背景技術】
【０００２】
人間が歩行するにつれて発達してきた靴は、初期には単に足に怪我をしないように保護する役割のみを果たしていたが、生活水準の向上に従って各種の新素材が開発されることにより飛躍的に発展し、近年に至り歩行用、登山用、身体矯正用、特定運動用など、多様な活動にそれぞれ適合した各種用途の靴が製造されている。
靴は、使用者が自身の足を保護しながら活動するという基本的な目的を達成するために作られているので、靴を着脱可能にするための上部の一定部位（すなわち履き口など）を除き、その内部空間が密閉した形態を取るため、所定のサイズに作られている。
すなわち、既製靴（大量生産により決められた長さ及び幅に製造される靴）は、その長さが最小サイズより約５〜１０ｍｍ刻みで増加するよう製造されており、長さが長くなるほど靴の幅も比例して大きくなる。
【０００３】
このように、従来の既製靴の場合、その長さが決定されると幅も決定されるため、次のような問題点を有する。
足は、長さが同一であっても人によって幅が異なるとか、あるいは幅が同一であっても人によって長さが異なるなど、形状が非常に多様であるため、既製靴とそれを履こうとする人の足が正確に一致することはほとんどない。
従って、例えば足の長さに靴を合わせると、幅が小さく窮屈であると感じる人は、長さを我慢して一段階大きい（長い）サイズの靴を選択するしかなかった。しかし、一段階大きいサイズの靴を選択すると、自身の足の長さに合わない靴を履くことになり着用感が低下するばかりか、歩行時に靴が脱げ易くなるという不都合が生じる。
【０００４】
また、紐で結ぶタイプの靴の場合は、紐の結び具合を調節して靴の幅を多少調節することができるが、靴の着脱の都度紐を結んだり解いたりする不便さがないように足の幅より靴の幅が少し大きくなるように予め紐を結んでおくことが一般的であり、やや幅の広い靴を履いているのと同様であり、着用感が低下する。
もちろん、靴の製造会社によっては、同一長さの靴に対し、幅の異なるものを数種類製造しているが、あらゆる幅を用意しているわけではなく、依然として、足にフィットした靴が得難いという実情にほとんど変化はない。
【０００５】
このような、既製靴の長さ、幅がほとんど決まっていることにより生じる諸問題を直接解決するものではないが、紐の不便さを解消するため、面ファスナを用いた靴が普及している。この面ファスナを用いた靴は、前記紐で結ぶタイプの靴に比べ、幅の調節や着脱が簡単であるが、やはり、長さが同じで幅の異なるあらゆる足に対応できるわけではない。
【０００６】
また、例え最適な靴が見つかったとしても、一日における足の大きさの変化（一般に朝は小さく、夕方大きい）や体型などの変化による足の大きさの変化により着用感が低下する。
さらに、靴の洗濯、使用期間の経過により靴底に比べて甲革が相対的に収縮して、靴底の長手方向中央部に比べて靴底の長手方向前後端部が引き上げられる現象が発生し、着用感が低下する。
また、成長の早い青少年の場合、足の長さや幅がすぐに変化し、靴が履けなくなり、破損していないにもかかわらず、新しい靴を購入することとなり、資源を無駄にしている。
【０００７】
既製靴の持つ前記の問題点を解消するため、長さの調節が可能な靴が提案されている（特許文献１）。
この長さの調節が可能な靴は、前側靴部と後側靴部に分離して構成し、この前側靴部と後側靴部の甲革を面ファスナにて接離自在にする。また、前側靴部の外底と内底を、後側靴部の外底及び内底にそれぞれ設けた空間部に挿入する構成である。
このように、一つの靴を完全に二分する構造であるため、防水機能がなく（前側靴部と後側靴部の継目から雨水が浸入する）、室外用として着用するのに不向きである。
また、他にも長さの調節が可能な靴が提案されている（特許文献２）。この靴は前記特許文献１とは異なり、甲革と靴底をそれぞれ弾性部により一体化し、長さ調節自在の内底の長さ変化により甲革と底の各弾性部が伸縮するものであり、室外用として着用可能である。しかし、内底に長さ調節手段が設けられているため、靴を脱いだ状態で、靴の内部に手を入れなければ調節できず不便である。
また、特許文献１，２の靴とも、長さの調節はできるものの幅が固定されており、靴の幅を足の幅に合わせることができない。
【特許文献１】大韓民国公開特許第１９９５−２４７１３号公報明細書
【特許文献２】大韓民国公開特許第１０−３１４８１６号公報明細書
【発明の開示】
【発明が解決しようとする課題】
【０００８】
そこで、本発明は、前記靴の諸問題を解決したもので、一体化した甲革及び靴底により室外用にも適用でき、また長さ調節だけでなく、幅調節も可能にして、足が成長しても着用感を損なうことなく、着用し続けられる靴を提供することを目的とする。
【課題を解決するための手段】
【０００９】
前記目的を達成するために請求項１の発明は、靴の長手方向の中央部に幅方向に横切って形成した伸縮自在な底長調節弾性部と、この底長調節弾性部から靴の前端部までのつま先部に形成した伸縮自在な底幅調節弾性部とを備えた靴底と、
前記底長調節弾性部の長手方向両端部に連結する左右両下端部から開口部までの甲中央横断部に形成した伸縮自在な甲革長さ調節弾性部と、つま先部から甲革の開口部の前端までの甲中央縦断部に形成した伸縮自在な甲革幅調節弾性部とを備えた甲革と、
固定板と、長さ調節板と、一対の幅調節板と、くさび板とからなり、これらが前記靴底内に収容されたサイズ調節部材と、
後端部が前記靴底の後背面より露出し、前端部が外周面に螺子部を形成した管状の長さ調節ボルトと、後端部が前記靴底の後背面より露出し、前端部が外周面に螺子を形成すると共に、前記長さ調節ボルトの通孔に挿入した幅調節ボルトとからなるサイズ調節ボルトとからなり、
そして前記固定板が靴底の内部の踵部に固定するものであり、
前記長さ調節板に長さ調節ボルトの螺子部を螺合すると共に、長さ調節板の後端部を前記固定板の前端部に連結して長手方向に摺動自在にして、長さ調節ボルトの回転により長さ調節板の位置を調節し、
前記一対の幅調節板を長さ調節板の前端部に靴の幅方向に互いに接離自在となるよう連結すると共に、当該幅調節板でくさび板を挟み、このくさび板に幅調節ボルトの螺子部を螺合して、幅調節ボルトの回転によりくさび板を移動させて幅調節板の位置を調節することを特徴とする。
請求項２の発明は、前記請求項１の一対の幅調節板の対向面に、引っ張りスプリングの両端部をそれぞれ結合することを特徴とする。
請求項３の発明は、前記請求項１の長さ調節板の上面に靴の長手方向に沿って長溝を設け、前記請求項１のくさび板の底面に突起を設け、この突起を前記長溝に挿入して、くさび板を摺動自在にすることを特徴とする。
請求項４の発明は、前記請求項１の甲革長調節弾性部、甲革幅調節弾性部、底長調節弾性部、底幅調節弾性部を蛇腹状にすることを特徴とする。
請求項５の発明は、長さ及び幅方向に伸縮自在の靴であって、
固定板と、長さ調節板と、一対の幅調節板と、くさび板とからなるサイズ調節部材と、
後端部が前記靴底の後背面より露出し、前端部が外周面に螺子部を形成した管状の長さ調節ボルトと、後端部が前記靴底の後背面より露出し、前端部が外周面に螺子を形成すると共に、前記長さ調節ボルトの通孔に挿入した幅調節ボルトとからなるサイズ調節ボルトとからなり、
前記固定板が靴の内側の踵部に固定するものであり、
前記長さ調節板に長さ調節ボルトの螺子部を螺合すると共に、長さ調節板の後端部を前記固定板の前端部に連結して長手方向に摺動自在にして、長さ調節ボルトの回転により長さ調節板の位置を調節し、
前記一対の幅調節板を長さ調節板の前端部に靴の幅方向に互いに接離自在となるよう連結すると共に、当該幅調節板でくさび板を挟み、このくさび板に幅調節ボルトの螺子部を螺合して、幅調節ボルトの回転によりくさび板を移動させて幅調節板の位置を調節することを特徴とする。
【発明の効果】
【００１０】
上記本発明のサイズ調節が可能な靴は、靴の長さと幅をそれぞれ別々に調節することができる。また、靴を履いたままで、長さ調節ボルト又は幅調節ボルトを回して、靴の長さ及び幅の調節を行うことができる。
さらに、請求項４に記載の発明のごとく、各弾性部を蛇腹状にすると、長さ及び幅の調節が容易になる。
【発明を実施するための最良の形態】
【００１１】
以下、本発明の好ましい実施形態を添付図面に基づいて詳細に説明する。
図１は本発明の一実施例の靴の平面図及び底面図、図２は図１の靴を構成する甲革と靴底の分離斜視図、図３は図１の靴を構成するサイズ調節部材とサイズ調節ボルトの結合状態を示す斜視図、図４は図１の靴を構成するサイズ調節ボルトの分離状態を示す分離斜視図、図５は図１の靴の部分断面図である。
【００１２】
これらの図に示すように、本発明のサイズ調節可能な靴は、靴底１１、甲革１２、サイズ調節部材１３、サイズ調節ボルト１４などからなる。
靴底１１には、靴の長手方向の中央部に幅方向に横切って形成した伸縮自在な底長調節弾性部１１Ａと、この底長調節弾性部１１Ａから靴底１１の前端部１１Ｃまでのつま先部に形成した伸縮自在な底幅調節弾性部１１Ｂを備える。
底長調節弾性部１１Ａは、靴の長手方向に対し伸縮が可能な蛇腹状のものであり、底幅調節弾性部１１Ｂは靴の幅方向に対し伸縮が可能な蛇腹状のものである。
また、甲革１２には、前記底長調節弾性部１１Ａの長手方向両端部に連結する左右両下端部から開口部１２Ｃまでの甲中央横断部１２Ｄに形成した伸縮自在な甲革長さ調節弾性部１２Ａと、つま先部から甲革の開口部１２Ｃの前端までの甲中央縦断部１２Ｅに形成した伸縮自在な甲革幅調節弾性部１２Ｂとを備える。1
【００１３】
サイズ調節部材１３は、靴底１１内に収容され、固定板１３Ａ、長さ調節板１３Ｂ、一対の幅調節板１３Ｃ、くさび板１３Ｄよりなる。
固定板１３Ａは、靴の踵部の形状に合わせ、靴の踵部に固定する。
長さ調節板１３Ｂは、その後端部を固定板１３Ａの前端部に設けた溝１８に挿通して靴の長手方向に摺動自在にする。
一対の幅調節板１３Ｃは、靴のつま先部の形状に合わせた板を縦に２分割したものであり、スプリングＳで連結した際の長手方向中央部に先細（図３では矢印が２つ重なった形状）の孔１５を設ける。この幅調節板１３Ｃの底面には、溝１９を形成し前記長さ調節板１３Ｂの前端部に設けた突起２０をこの溝１９に挿通して幅方向に摺動自在にする。
くさび板１３Ｄは、先細状（図３，４では矢印が２つ重なった形状）の形状で、前記孔１５に嵌合すると共に、長さ調節板１３Ｂに設けた長溝Ｇにくさび板１３Ｄの底面に設けた突起Ｅを挿通して靴の長手方向に摺動自在にする。
【００１４】
サイズ調節ボルト１４は、管状の長さ調節ボルト１４Ａと、長さ調節ボルト１４Ａの通孔に挿入した幅調節ボルト１４Ｂとからなる。
長さ調節ボルト１４Ａには、長さ調節板１３Ｂに設けたナット状部１６に先端部が螺合すると共に、その後半部分を固定板１３Ａに設けた通孔に挿入する。さらに、長さ調節ボルト１４Ａの後端部を、靴底１１の踵の外に露出し、さらにこの露出部分に長さ調節用スナップリングＲ１を固定する。
幅調節ボルト１４Ｂは、後端部を前記長さ調節ボルト１４Ａの後端部と同様に靴底１１の踵の外に露出し、この露出部分に幅調節用スナップリングＲ2を固定したものであり、先端のネジ部を長さ調節ボルト１４Ａより突出させ、このネジ部をくさび板１３Ｄの後端に設けたネジ孔１７に螺合する。
【００１５】
前記長さ調節ボルト１４Ａの後端部と幅調節ボルト１４Ｂの後端部の取付け方を以下に詳述する。
図５に示すように、靴底１１の後端部の側壁貫通孔Ｈに、円形内周面に溝が形成された硬質の固定リングＲＦを固着し、長さ調節ボルト１４Ａ後端部の外周面に形成した溝と固定リングＲＦの溝との間にスナップリングＲＳを介在させる。これにより長さ調節ボルト１４Ａは長手方向への移動が規制されると共に、回転自在になる。
さらに、長さ調節ボルト１４Ａの後端部外周に長さ調節用スナップリングＲ1を取付け、同様に幅調節ボルト１４Ｂの後端部外周に幅調節用スナップリングＲ2を取付けて（図５参照）、幅調節ボルト１４Ｂの長手方向への移動を規制すると共に、回転自在にする。
【００１６】
以上のように構成した長さ及び幅の調節が可能な靴は、長さ調節用スナップリングＲ1を握り長さ調節ボルト１４Ａを回転するに伴い長さ調節板１３Ｂが靴の長手方向に摺動し、長さの調節ができる。
また、幅調節用スナップリングＲ2を握り、幅調節ボルト１４Ｂを回転するに伴いくさび板１３Ｄが靴の長手方向に摺動して、接離自在の幅調節板１３Ｃ、１３Ｃ間の距離を変化させて幅の調節をする。
この長さ及び幅の調節は、靴の踵部の外にある長さ調節用スナップリングＲ1及び幅調節用スナップリングＲ2を回転するだけでよく、靴を履いたままで行えるので、着用感を確認しながら長さ及び幅の調節ができる。
【００１７】
なお、上記実施形態では、前記底長調節弾性部１１Ａ，底幅調節弾性部１１Ｂ，甲革長調節弾性部１２Ａ，甲革幅調節弾性部１２Ｂをそれぞれ蛇腹状としたが、本発明はこれに限るものではなく、ゴムなどの弾性材の板であってもよい。ただし蛇腹状にすると、長さ及び幅の調節が容易になる。
また、靴の、甲革１２や靴底１１の素材は、皮革に限らず、布、合成皮革、ゴムなど市販の靴に使用されるもののいずれであってもよい。
【図面の簡単な説明】
【００１８】
【図１】本発明の一実施例による靴を示す図であり（Ａ）は平面図、（Ｂ）は底面図である。
【図２】本発明の一実施例による靴を構成する甲革と靴底の分離斜視図である。
【図３】本発明の一実施例による靴を構成するサイズ調節部材とサイズ調節ボルトの結合状態を示すもので、（Ａ）は長さ及び幅が縮小した状態を示す斜視図、（Ｂ）は長さ及び幅が拡張した状態を示す斜視図である。
【図４】本発明の一実施例による靴を構成するサイズ調節部材とサイズ調節ボルトの分離状態を示す分離斜視図である。
【図５】本発明の一実施例による靴の部分断面図である。
【符号の説明】
【００１９】
１１    靴底
１２    甲革
１３    サイズ調節部材
１３Ａ  固定板
１３Ｂ  長さ調節板
１３Ｃ  幅調節板
１４    サイズ調節ボルト
１４Ａ  長さ調節ボルト
１４Ｂ  幅調節ボルト
Ｒ1  長さ調節用スナップリング
Ｒ2  幅調節用スナップリング
【図１】
2006026382.tif 000003
【図２】
2006026382.tif 000004
【図３】
2006026382.tif 000005
【図４】
2006026382.tif 000006
【図５】
2006026382.tif 000007